(57)【要約】  液体を大気中に蒸発させる放出器具、エバポレータ及び方法が提供される。液体は、毛管だけで蒸発状態になる。
2009534267.tif 000002
【特許請求の範囲】
【請求項１】
液体（２）を蒸発させる放出器具（Ｄ）であって、好ましくは、非加圧液体（２）の入った容器（１）と、毛管（４）と、蒸発面（１５）を備えたエバポレータ（７）とを有し、前記毛管（４）は、前記液体（２）を前記蒸発面（１５）に送ることを特徴とする、放出器具。
【請求項２】
前記毛管（４）は、浸漬管を形成すると共に、（或いは）、可撓性であることを特徴とする、請求項１記載の放出器具。
【請求項３】
前記毛管（４）は、剛性であることを特徴とする、請求項１記載の放出器具。
【請求項４】
流量は、０．０１ｇ／ｄ（一日当たりのグラム数）から２．０ｇ／ｄ（一日当たりのグラム数）であり、好ましくは０．０５ｇ／ｄから０．５ｇ／ｄであることを特徴とする、請求項１〜３のうちいずれか一項に記載の放出器具。
【請求項５】
前記流量は、調節可能であることを特徴とする、請求項１〜４のうちいずれか一項に記載の放出器具。
【請求項６】
前記毛管（４）は、本質的に真っ直ぐであり、或いは、螺旋であるか、又は、蛇行形状を呈していることを特徴とする、請求項１〜５のうちいずれか一項の記載の放出器具。
【請求項７】
前記毛管（４）の平均又は水力直径は、１μｍから０．９ｍｍであり、好ましくは５０〜２００μｍ、より好ましくは７５〜１２５μｍであることを特徴とする、請求項１〜６のうちいずれか一項に記載の放出器具。
【請求項８】
前記毛管（４）の長さは、１ｍｍから１０ｍであり、好ましくは１０ｍｍ〜１ｍであることを特徴とする、請求項１〜７のうちいずれか一項に記載の放出器具。
【請求項９】
前記毛管（４）の有効長さ又は有効直径は、前記流量を変化させるために可変であることを特徴とする、請求項１〜８のうちいずれか一項に記載の放出器具。
【請求項１０】
前記毛管（４）、及び（又は）、流量絞り装置（５）が、前記エバポレータ（７）に組み込まれていることを特徴とする、請求項１〜９のうちいずれか一項に記載の放出器具。
【請求項１１】
前記エバポレータ（７）は、キャップ、カバー、スクリーン、又はアクチュエータ（８）によって保護されると共に、（或いは）、前記エバポレータ（７）は、前記放出器具（Ｄ）のアクチュエータ（８）に組み込まれていることを特徴とする、請求項１〜１０のうちいずれか一項に記載の放出器具。
【請求項１２】
前記毛管（４）は、前記液体（２）を前記エバポレータ（７）に送るための唯一の手段又は駆動装置を形成していることを特徴とする、請求項１〜１１のうちいずれか一項に記載の放出器具。
【請求項１３】
前記液体（２）は、オイル、溶剤、フレグランス、香水、芳香剤、薬剤、治療用有効成分、又は任意他の有効成分であり、或いは、オイル、溶剤、フレグランス、香水、芳香剤、薬剤、治療用有効成分、又は、任意他の有効成分を含むことを特徴とする、請求項１〜１２のうちいずれか一項に記載の放出器具。
【請求項１４】
前記蒸発面（１５）は、微細構造化されていることを特徴とする、請求項１〜１３のうちいずれか一項に記載の放出器具。
【請求項１５】
前記蒸発面（１５）は、液密であると共に、（或いは）、滑らかであることを特徴とする、請求項１〜１４のうちいずれか一項に記載の放出器具。
【請求項１６】
前記蒸発面（１５）は、前記毛管（４）の主延長部又は長手方向延長部に対して少なくとも本質的に横方向に、好ましくは、これに垂直に延びていることを特徴とする、請求項１〜１５のうちいずれか一項に記載の放出器具。
【請求項１７】
前記放出器具（Ｄ）は、前記容器（１）に連結でき、又は、ねじで締結できるヘッド又はトップ（Ｔ）を有することを特徴とする、請求項１〜１６のうちいずれか一項に記載の放出器具。
【請求項１８】
前記エバポレータ（７）又は前記蒸発面（１５）は、前記ヘッド又はトップ（Ｔ）に組み込まれ、或いは、前記ヘッド又はトップ（Ｔ）によって形成されていることを特徴とする、請求項１７に記載の放出器具。
【請求項１９】
前記毛管（４）は、好ましくは、前記ヘッド又はトップ（Ｔ）だけで保持されていることを特徴とする、請求項１７又は１８に記載の放出器具。
【請求項２０】
請求項１〜１９のうちいずれか一項に記載の放出器具であって、前記エバポレータ（７）は、請求項２１〜２６のうちいずれか一項に記載に従って設計されていることを特徴とする放出器具。
【請求項２１】
液体（２）を蒸発させるエバポレータ（７）であって、蒸発面（１５）と、好ましくは、前記液体（２）を前記蒸発面（１０）に送る浸漬管を形成する毛管（４）とを有することを特徴とする、エバポレータ。
【請求項２２】
前記蒸発面（１５）は、表面積が増大するように、且つ（或いは）、前記液体（２）が前記蒸発面（１５）上に本質的に一様な膜を形成するように設計されると共に、（或いは）、表面積が増大するように、且つ、（或いは）、前記液体（２）が前記蒸発面（１５）上に本質的に一様な膜を形成するように微細構造化されていることを特徴とする、請求項２１に記載のエバポレータ。
【請求項２３】
前記蒸発面（１５）は、本質的に平坦であると共に、（或いは）、構造化され又は成形された好ましくはプラスチック製の本体（１２）によって形成されていることを特徴とする、請求項２１又は２２に記載のエバポレータ。
【請求項２４】
前記液体（２）は、毛管作用力によって前記蒸発面（１５）上に、且つ、（或いは）、前記蒸発面（１５）の上に駆動されることを特徴とする、請求項２１〜２３のうちいずれか一項に記載のエバポレータ。
【請求項２５】
前記液体（２）は、オイル、溶剤、フレグランス、香水、芳香剤、薬剤、治療用有効成分、又は、任意他の有効成分であり、或いは、オイル、溶剤、フレグランス、香水、芳香剤、薬剤、治療用有効成分、又は、任意他の有効成分を含むことを特徴とする、請求項２１〜２４のうちいずれか一項に記載の放出器具。
【請求項２６】
蒸発量は、０．０１ｇ／ｄ（一日当たりのグラム数）から２．０ｇ／ｄ（一日当たりのグラム数）であり、好ましくは０．０５〜０．５ｇ／ｄであることを特徴とする、請求項２１〜２５のうちいずれか一項に記載の放出器具。
【請求項２７】
液体（２）を大気中に蒸発させる方法であって、前記液体（２）を加圧し、好ましくは、毛管（４）だけで液体（２）をエバポレータ（７）に連続的に送って前記液体（２）を蒸発させることを特徴とする方法。
【発明の詳細な説明】
【技術分野】
【０００１】
本発明は、液体を蒸発させる放出器具、液体を蒸発させるエバポレータ及び液体を大気中に蒸発させる方法に関する。
【０００２】
特に、本発明は、好ましくは密閉空間内に入れられた任意の有効成分、例えばフレグランス、香水、芳香剤、薬剤等の小出しに関する。
【背景技術】
【０００３】
多くの連続液体送出し器具が、市場に出ており、又は、提案された。２つの主要な形式、即ち、受動式と能動式が存在する。受動式器具では、液体は、キャリヤ、例えばゲル、フォーム又は液体溶剤に吸収され、希釈され、又は、溶解される。かかる受動式器具では、大気中への液体又は任意の有効成分の移送は、特に、室温及び空気循環速度で決まる蒸発量及び他の要因で決まる。能動式器具は、より複雑であり、通常、ガス圧力又は任意他の能動式駆動装置を用いている。
【０００４】
本発明の出発点をなす米国特許出願公開第２００２／０１６８３０１（Ａ１）号明細書は、液体を大気中に蒸発させる受動式放出器具を開示している。この器具は、液体を蒸発面まで案内する浸漬管を有している。液体は、密閉容器内に入れられ、この液体は、容器内の空気及び（又は）液体の熱膨張によってのみ加圧されて送られる。放出量は、温度の変化で左右される。
【０００５】
【特許文献１】米国特許出願公開第２００２／０１６８３０１（Ａ１）号明細書
【発明の開示】
【発明が解決しようとする課題】
【０００６】
この器具では、液体の規定された連続放出及び蒸発が保証されない。
【０００７】
本発明の目的は、液体の一様な、且つ（或いは）、連続した放出及び蒸発が可能であり、特に、温度変化、室温及び（又は）空気循環に対する依存性を回避でき、又は、少なくとも軽減でき、しかも、ユーザ又は任意の電気装置による定期的、直接的作動、又は、間接的作動が必要ではない受動式放出器具及び液体の蒸発方法並びにエバポレータを提供することにある。
【課題を解決するための手段】
【０００８】
上記目的は、請求項１記載の放出器具、請求項２１記載のエバポレータ又は請求項２７記載の方法によって達成される。好ましい実施形態は、引用形式（従属形式）の請求項の内容である。
【０００９】
本発明の基本的な技術的思想は、毛管作用を利用して容器から所望の流量、特に、正確な流量の、好ましくは、非加圧液体を生じさせて、これをエバポレータに送ることにある。さらに、流量を決定し、かくして、実際の蒸発量を定める流量絞り装置を設けるのが良い。したがって、室温、空気循環等に対する蒸発量の依存性を回避することができ、又は、少なくとも軽減することができる。好ましくは、流量絞り装置は、液体の流量を所望に応じて絞る、又は、液体の流量を所望に応じて制限する、少なくとも１本のチャネル、特に長い毛管チャネルを有する。
【００１０】
本発明では、「液体」という用語は、広義に理解されなければならない。具体的に言えば、液体という用語は、蒸発可能なあらゆる種類の成分、液体、流体、混合物、懸濁液、液化ガス等に及ぶものとする。好ましくは、液体は、オイル、溶剤、フレグランス、香水、芳香剤、薬剤、治療用有効成分、又は、任意他の有効成分であり、或いは、オイル、溶剤、フレグランス、香水、芳香剤、薬剤、治療用有効成分、又は、任意他の有効成分を含む。
【００１１】
本発明のもう１つの観点は、液体を蒸発させるエバポレータに関する。エバポレータは、蒸発面を有し、この蒸発面は、表面積が増大するように、且つ、（或いは）、液体が蒸発面上に本質的に一様な膜を形成するように、好ましくは、微細構造化によって設計されている。かくして、室温、空気循環等に対する蒸発量の依存性を回避することができ、又は、少なくとも軽減することができる。
【００１２】
本発明の別の観点、利点及び特徴は、特許請求の範囲の記載、及び、好ましい実施形態についての以下の詳細な説明から明らかになろう。
【発明を実施するための最良の形態】
【００１３】
図中、同一の参照符号は、同一のコンポーネント、又は、類似のコンポーネントについて用いられており、同一又は類似の特徴又は利点は、説明の繰り返しが省かれている場合であっても達成される。
【００１４】
図１は、本発明の第１の実施形態としての放出器具Ｄの概略断面図である。放出器具Ｄは、液体２の入った容器１を有する。液体２は、好ましくは、有効成分、溶剤及び（又は）液体並びに圧縮ガスを含む。「液体」という用語の上述の理解を参照されたい。液体２を容器１内に納められた袋（図示せず）内に入れるのが良い。
【００１５】
放出器具Ｄは、毛管４及びエバポレータ７を有している毛管４は、液体２を毛管作用力だけで好ましくはエバポレータ７に直接送る（加圧して送る）。毛管効果又は毛管作用力に起因して、蒸発量、温度、空気循環等に対する独立性が高い液体２の連続供給又は送りを達成することができる。
【００１６】
好ましくは、毛管４は、浸漬管を形成し、即ち、液体２中に延びると共に、（或いは）、容器１の底部まで延びる。
【００１７】
好ましくは、浸漬管・毛管４は、液体２の流量を十分に減少させ、又は、液体２の流量を十分に絞り、かくして、絞り装置を形成する。
【００１８】
浸漬管・毛管４は、可撓性であるのが良く、且つ、（或いは）、ホースとして設計されるのが良く、又は、剛性であっても良い。
【００１９】
好ましくは、毛管４は、大きな毛管作用力を生じさせるが、生じさせる流量を少なくするために、具体的に言えば１ｍｍ未満であり、好ましくは、約０．１ｍｍから０．８ｍｍ以下の非常に小さな直径を有する。
【００２０】
図２は、放出器具Ｄの第２の実施形態を示しており、この放出器具は、オプションとして、好ましくは容器の頂部に取り付けられると共に、毛管４に連結された弁３を有している。
【００２１】
弁３は、好ましくは、オンオフ形式のものである。しかしながら、弁３は又、これを一度だけ開くことができるように設計されたものであっても良い。この場合、弁３は、取り外し可能な蓋、キャップ等によって形成されるのが良い。好ましくは、弁３は、その開き状態、及び（又は）、その閉じ状態にロック可能である。
【００２２】
放出器具Ｄは、流量絞り装置５（別体としての流量絞り装置５）を更に有するのが良く、この流量絞り装置は、好ましくは、毛管４に直接的又は間接的に流体結合される。好ましくは、流量絞り装置５は、オプションとしての弁３の後ろに配置される。しかしながら、流量絞り装置５を弁３の前に配置すると共に、（或いは）、流量絞り装置５を弁３に組み込むことも可能である。
【００２３】
エバポレータ７は、毛管４の出口に流体結合され、或いは、この実施形態では、蒸発のために液体２を供給する流量絞り装置５を介して、これに流体結合されている。
【００２４】
放出器具Ｄは、オプションとして、アクチュエータ８を有している。アクチュエータ８は、容器１に取り付けられるのが良く、且つ、（或いは）、具体的にはアクチュエータ８を押し下げることにより弁３を開くことができるように弁３に取り付けられるのが良い。好ましくは、アクチュエータ８は、弁３をいったん開くと、ユーザがアクチュエータ８を押すのを止めた後でも弁が開いたままであるように設計されている。これは、ラチェット機構体、ロック機構体等によって達成できる。
【００２５】
好ましくは、アクチュエータ８は、ユーザが弁３をオンにして、これを開き位置のままにすることができるロック機構体を有している。ロック機構体は、弁３を開き位置に永続的にロックするのが良く、又は、オンオフ特徴部を有するのが良い。
【００２６】
注目されなければならないこととして、流量絞り装置５も又、アクチュエータ８内に設けられるのが良く、又は、これに組み込まれるのが良い。
【００２７】
毛管４及び（又は）流量絞り装置５は、弁３の開き状態において容器１からエバポレータ７への液体の流量をエバポレータ７による液体２の蒸発の予想量よりも低い量、又は、実質的にこれに等しい量に絞る（更に絞る）ことができる。かくして、弁３は、容器１からの液体２の連続放出及びエバポレータ７による液体２の連続蒸発を可能にするよう永続的に開放可能である。
【００２８】
毛管４及び（又は）流量絞り装置５は、好ましくは、流量が０．０１ｇ／ｄ（一日当たりのグラム数）から２．０ｇ／ｄ（一日当たりのグラム数）であり、最も好ましくは０．０５ｇ／ｄから０．５ｇ／ｄであるように液体２の流量を絞る。これは、大抵の用途、特に、芳香剤等に適した比較的低く妥当な範囲である。
【００２９】
放出器具Ｄの耐用年数は、好ましくは、弁３が永続的に開かれた状態で２週間から３６週間である。弁３が閉じられた状態では、放出器具Ｄを少なくとも２年以上にわたり保管することができる。
【００３０】
最も好ましい実施形態によれば、毛管４及び（又は）流量絞り装置５は、少なくとも１本のスロットル（絞り）チャネル１０、好ましくは、長い毛管又はチャネル１０を有する。図３は、一例としての流量絞り装置５の概略断面図である。
【００３１】
チャネル１０の所要の長さ及び直径は、液体２の流量、圧力、粘度及び密度がいったん分かると、伝統的な層流方程式を用いることにより計算できる。チャネル１０の長さが短ければ短いほど、流量及び一組の物理的パラメータが所与の場合に必要な水力直径がそれだけ一層小さくなる。
【００３２】
直径は、詰まり又は閉塞を最小限に抑えるためにできるだけ大きいことが必要である。好ましくは、毛管及び（又は）チャネル１０の平均又は水力直径は、１μｍから１ｍｍであり、より好ましくは５０μｍから２００μｍであり、特に７５μｍから１２５μｍである。チャネル１０の断面は、任意適当な形態のものであって良く、必ずしも円形である必要はない。
【００３３】
長さは又、流れ抵抗、及び、かくして、流量を決定する要因であり、好ましくは、毛管及び（又は）チャネル１０の長さは、１ｍｍから１０ｍであり、より好ましくは１０ｍｍから１ｍである。
【００３４】
毛管４及び（又は）チャネル１０は、蛇行形状を呈するのが良い。しかしながら、毛管及び（又は）チャネル１０は、本質的に真っ直ぐであっても良く、又は、螺旋形状を呈しても良い。
【００３５】
別の実施形態では、チャネル１０は、特に、直径又は断面の減少により毛管作用力が大きな部分を有し、又は、かかる部分を形成する。その目的は、蒸発量が上述の流量よりも非常に高い場合に毛管４及び（又は）チャネル１０が完全に空になるのを回避することにある。この部分（図示せず）は、好ましくは、毛管４及び（又は）流量絞り装置５の出口及び（又は）チャネル１０の出口の近くに形成される。
【００３６】
別の実施形態（図示せず）によれば、放出器具Ｄは、並列に連結された多数の毛管４を有するのが良く且つ（或いは）流量絞り装置５は、並列に連結された多数のチャネル１０を有する。それぞれの毛管４又はチャネル１０の使用数は、流量を変化させるために好ましくは可変である（少なくとも１つの毛管４又はチャネル１０を個々に閉塞するのが良い）。具体的に言えば、この構成は、毛管４又はチャネル１０を所望に応じて連続的に開くことができる調節装置を形成するのが良い。好ましくは、ユーザは、ボタンを押し、アクチュエータ８を回し、任意他の要素を作動させること等によって、或る１つの流量から少なくとも１つの別の流量に切り替えることができる。
【００３７】
かくして、流量は、調節可能である。しかしながら、具体的には毛管４及び（又は）チャネル１０の有効長さ又は有効直径を変化させることにより、且つ、（或いは）、絞り弁（図示せず）のような追加の手段により流量を調節するために使用できる他の手段も又存在する。
【００３８】
好ましくは、流量絞り装置５は、チャネル１０を形成する図２に示されているような好ましくはプラスチックで作られた成形本体を有すると共にオプションとしてチャネル１０の上流側に設けられたフィルタ１３を有する。構造化本体１２及び（又は）チャネル１０又は任意他の流量絞り構造体を任意適当な材料で作ることができると共に（或いは）成形以外の任意他の適当な方法で構造化することができる。
【００３９】
構造化本体１２は、好ましくは、蓋、フィルム又は任意他の適当な覆い（例えば、図５に示されている覆い１６）によって覆われ、その結果、ステム６により供給された液体２は、入口１４を介して流量絞り装置５・フィルタ１３にのみ流入し、出口１１を介して流量絞り装置５から出ることができるようになっており、この場合、流量絞り装置５内での液体２の蒸発は、阻止される。好ましくは、成形本体１２は、フィルム等を本体１２の表面にヒートシールすることにより、又は、第２のプラスチック成形品、カバー等を成形本体１２と協働して通路、即ち、少なくともチャネル１０及びオプションとしてフィルタ１３を形成する表面全体に超音波溶接することにより密封される。
【００４０】
フィルタ１３は、チャネル１０の閉塞又は詰まりを阻止する。好ましくは、フィルタ１３は、液体２中の問題のある粒子を濾過して除去するために次に位置するチャネル１０の直径よりも小さなサイズのフィルタボア又は開口部を有している。
【００４１】
第２の実施形態では、フィルタ１３は、流量絞り装置５及び（又は）本体１２に組み込まれている。しかしながら、フィルタ１３は又、流量絞り装置５とは別個に作られても良く且つ（或いは）配置されても良い。例えば、フィルタ１３は、ステム６又は弁３に組み込まれても良い。何れの場合においても、フィルタ１３は、好ましくは、流量絞り装置５又は少なくともそのチャネル１０の下流側にこれと直列に配置される。
【００４２】
別の実施形態（図示せず）によれば、流量絞り装置５は、所望に応じて液体２の流量を減少させ又は絞るために、追加的に又は代替的に、好ましくは水力直径が３０μｍから１００μｍの少なくとも１つの絞りオリフィスを有するのが良い。チャネル構造に設けられる絞りオリフィス構造の利点は、その全体サイズが小さいことにある。絞りオリフィス構造の欠点は、これが非常に閉塞しやすいことにある。
【００４３】
エバポレータ７は、流量絞り装置５、特に、その出口１１に流体結合されている。エバポレータ７の構成について他の図及び他の実施形態を参照して詳細に説明する。
【００４４】
第１の実施形態では、流量絞り装置５及びエバポレータ７は、好ましくは、互いに隣接して、特に互いに上下に配置される。また、流量絞り装置５をエバポレータ７に組み込むこと、又は、その逆の関係にすることも可能である。代替的に、又は、追加的に、エバポレータ７は、放出器具Ｄのアクチュエータ８に組み込まれても良い。
【００４５】
エバポレータ７は、成形溝付きのプラスチック製プレート、スポンジ状材料、吸い取り紙若しくは円錐形カップ又は液体２が蒸発している間、液体２を保持することができる任意他の器具から成っていても良い。エバポレータ７は、好ましくは、アクチュエータ８内に配置され、ユーザが液体２に直接接触するのを阻止するようキャップ、カバー、スクリーン又はアクチュエータ８で保護される。エバポレータ７の総露出面積は、流量絞り装置５を通る液体２の流量に、少なくとも実質的に等しい流量で、又は、これよりも高い流量で液体２を蒸発させるほど広い。
【００４６】
本発明によれば、液体２を蒸発させるエバポレータ７は、蒸発面１５（図１に示されている）を有し、この蒸発面は、表面積を増大させると共に、（或いは）、液体２が蒸発面１５上に本質的に一様な膜を形成するように設計されている。好ましくは、蒸発面１５は、これらの特性を達成するよう微細構造化されている。
【００４７】
以下において、別の図を参照して本発明の別の実施形態を説明するが、本質的な相違点のみが強調されている。かくして、上述の説明は、追加的に当てはまる。
【００４８】
図４は、蒸発面１５上に設けられた溝２０の蜘蛛の巣状の構造を示している。これら溝２０又はこれに類似した構造は、蒸発面１５上への液体２の一様な膜の形成を促進する。さらに、流量絞り装置２から液体２が供給される中央供給チャネルが示されている。
【００４９】
図５は、放出器具Ｄの第３の実施形態を示している。流量絞り装置５、特に、螺旋形態のそのチャネル１０は、実質的に平行に且つ上方に配置されたエバポレータ７の水平の蒸発面１５に本質的に平行に配置されている。具体的に言えば、エバポレータ７は、毛管４又は流量絞り装置５の覆い１６を形成し、又は、この逆の関係が成り立ち、流量絞り装置５の覆い１６は、その上側フェース上に蒸発面１５を形成する。
【００５０】
図６は、覆い１６が設けられていない拡大状態の流量絞り装置５を示している。チャネル１０の好ましい螺旋形態が、明確に見える。さらに、液体２のための円周方向リング状空間１７が設けられている。これは、液体バッファを形成する。半径方向凹み、切欠き又は溝１８は、液体２が覆い１６の周りに流れ、そして蒸発面１５まで流れることができるように蒸発領域か流体結合部かのいずれかを形成している。
【００５１】
図７は、覆い１６が設けられておらず、又、関連のエバポレータ７が設けられていない流量絞り装置５の第４の実施形態を示している。チャネル１０の螺旋形態は、明確に見える。さらに、半径方向チャネル連結部１９が設けられている。アクチュエータ８等の回転位置に応じて、チャネル連結部１９のうちの少なくとも１つをエバポレータ７（図示せず）に連結するのが良い。チャネル１０の有効長さは、それぞれ連結されたチャネル連結部１９に応じて様々である。かくして、液体２の流量を調節することができる。
【００５２】
変形例（図示せず）によれば、２つの互いに平行な螺旋を形成する少なくとも２つのチャネル１０を設けて所望に応じて、並列に連結しても良いし、又は、直列に連結しても良い。個々の閉塞を利用して有効長さを変化させ、それにより、流れ抵抗、及び、かくして、流量を調節するのが良い。
【００５３】
図８は、エバポレータ７の第５の実施形態を示している。蒸発面１５は、格子状に配列された溝又は凹部２０を有している。これら溝、凹部２０、又は、これらに類似した構造は、蒸発面１５上における液体２の一様な膜の形成を促進する。加うるに、蒸発面１５は、円周方向溝２０によって包囲され、この円周方向溝は、これが液体２で満たされることがないよう深い。このリング状溝２１は、蒸発面１５上における液体２の外側の限界を構成する。
【００５４】
図９は、エバポレータ７の第６の実施形態を示している。蒸発面１５は、別の格子状に配列された溝２２及びポスト２３等のような微細構造体を有している。これら構造体２３は、液体２により覆われる全表面積を増大させ、かくして、蒸発量を増大させる。
【００５５】
一般に、注目されなければならないこととして、蒸発面１５は、好ましくは、液密であると共に、（或いは）、少なくとも肉眼的に見て滑らかである。
【００５６】
好ましくは、蒸発面１５は、毛管４の主延長部又は長手方向延長部に対して横方向に、特にこれに垂直に延びる。
【００５７】
好ましくは、放出器具Ｄは、例えば図１、図２及び図５に示すヘッド又はトップＴを有する。ヘッド又はトップＴは、好ましくは、容器１に連結可能である。具体的に言えば、ヘッド又はトップＴを容器１にねじで締結することができ、又は、任意他の適当な仕方で、例えば、締め付け等によりこれに連結することができる。
【００５８】
好ましくは、エバポレータ７又は蒸発面１５は、ヘッド又はトップＴに組み込まれ、又は、これによって形成される。
【００５９】
好ましくは、ヘッド又はトップＴは、毛管４を、特に、これだけを支持し、又は、これだけを保持する。
【００６０】
互いに異なる実施形態のそれぞれの特徴及び観点を所望通りに組み合わせることができ又は他の実施形態と交換でき若しくは他の実施形態のために使用できる。
【図面の簡単な説明】
【００６１】
【図１】第１の実施形態としての放出器具の概略断面図である。
【図２】第２の実施形態による流量絞り装置及びエバポレータを備えた放出器具の概略断面図である。
【図３】第２の実施形態の流量絞り装置の概略断面図である。
【図４】第２の実施形態の放出器具のエバポレータの略図である。
【図５】第３の実施形態の流量絞り装置を備えた放出器具の一部の概略断面斜視図である。
【図６】第３の実施形態としての流量絞り装置の斜視図である。
【図７】第４の実施形態としての流量絞り装置の斜視図である。
【図８】第５の実施形態としての流量絞り装置の斜視図である。
【図９】第６の実施形態としての流量絞り装置の斜視図である。
【図１】
2009534267.tif 000003
【図２】
2009534267.tif 000004
【図３】
2009534267.tif 000005
【図４】
2009534267.tif 000006
【図５】
2009534267.tif 000007
【図６】
2009534267.tif 000008
【図７】
2009534267.tif 000009
【図８】
2009534267.tif 000010
【図９】
2009534267.tif 000011
【国際調査報告】
2009534267.tif 000012
2009534267.tif 000013
2009534267.tif 000014
2009534267.tif 000015
2009534267.tif 000016